(57)【要約】【課題】第一延出部と第二延出部の各末端側部位が、十分な意匠性を確保しつつ、有利に切断され得る樹脂成形品の端末処理技術を提供する。【解決手段】保持手段２０の第一及び第二裏当て面３６ａ，３６ｂに樹脂成形品１０の第一及び第二延出部１４ａ，１４ｂを接触、保持させた状態下で、第一及び第二切断操作進行手段にて、第一及び第二切断刃２２ａを該第一及び第二延出部１４ａ，１４ｂに押し付けて、食い込ませることにより、該第一及び第二延出部１４ａ，１４ｂの末端部位の切断操作を進行せしめる一方、切断操作が行われていない該第一及び第二延出部１４ａ，１４ｂのうちの一方に押圧力が加えられたときに、該一方の延出部１４ａ，１４ｂが、撓み変形して、第一及び第二裏当て面３６ａ，３６ｂから離間するのを許容し得るように構成した。【選択図】図８
2009286029.tif 000002
【特許請求の範囲】
【請求項１】
表面が意匠面とされたシート状の樹脂成形品の端部に、裏面側に屈曲し、且つ互いに交差する方向に延びるように一体形成されて、角部を形成する第一延出部と第二延出部のそれぞれの末端側部位を切断し、除去することによって、該樹脂成形品の端末部を処理する装置であって、
前記樹脂成形品の前記第一延出部の裏面に接触する第一裏当て面と、前記第二延出部の裏面に接触する第二裏当て面とを有し、それら第一裏当て面と第二裏当て面とに対して、該第一延出部と該第二延出部のそれぞれの裏面を接触させた状態で、該樹脂成形品を位置固定に保持すると共に、かかる樹脂成形品の保持状態下において、該第一延出部と該第二延出部のうちの何れか一方の延出部に対して、該一方の延出部の延出方向に押圧力が加えられたときに、該一方の延出部が撓み変形して、該一方の延出部が接触する該第一裏当て面又は該第二裏当て面から、該一方の延出部の少なくとも一部が離間するのを許容し得るように構成された保持手段と、
刃先が前記保持手段の前記第一裏当て面に向けて配された状態で、該第一裏当て面に対して、それと交差する方向において接近又は離隔可能に位置せしめられた第一切断刃と、
刃先が前記保持手段の前記第二裏当て面に向けて配された状態で、該第二裏当て面に対して、それと交差する方向において接近又は離隔可能に位置せしめられた第二切断刃と、
前記樹脂成形品が前記保持手段に保持された状態下で、前記第一切断刃を、該保持手段の前記第一裏当て面に対して接近させることにより、該第一裏当て面に接触して位置せしめられた前記第一延出部の意匠面の延出方向中間部に、該第一切断刃を押し付けて、食い込ませることによって、該第一切断刃による該第一延出部の前記末端側部位の切断操作を進行せしめる第一切断操作進行手段と、
前記樹脂成形品が前記保持手段に保持された状態下で、前記第一切断刃による前記第一延出部の末端側部位の切断操作の開始前又は終了後に、前記第二切断刃を、該保持手段の前記第二裏当て面に対して接近させることにより、該第二裏当て面に接触して位置せしめられた前記第二延出部の意匠面の延出方向中間部に、該第二切断刃を押し付けて、食い込ませることによって、該第二切断刃による該第二延出部の前記末端側部位の切断操作を進行せしめる第二切断操作進行手段と、
を含むことを特徴とする樹脂成形品の端末処理装置。
【請求項２】
前記第一切断操作進行手段による前記第一裏当て面への接近により、前記第一延出部の中間部に押し付けられて、食い込んだ前記第一切断刃が、該第一裏当て面に対する当接直前の位置で、且つ該第一切断刃と該第一裏当て面との間に位置する該第一延出部の未切断の裏面側部分が該第一切断刃の押付け力にて圧縮破壊せしめられる位置にまで到達したときに、該第一切断操作進行手段による該第一切断刃の該第一裏当て面への接近を停止させて、該第一切断刃による該第一延出部の前記末端側部位の切断操作を停止せしめる第一切断操作停止手段が、更に設けられると共に、前記第一切断操作進行手段による前記第二裏当て面への接近により、前記第二延出部の中間部に押し付けられて、食い込んだ前記第二切断刃が、該第二裏当て面に対する当接直前の位置で、且つ該第二切断刃と該第二裏当て面との間に位置する該第二延出部の未切断の裏面側部分が該第二切断刃の押付け力にて圧縮破壊せしめられる位置にまで到達したときに、該第二切断操作進行手段による該第二切断刃の該第二裏当て面への接近を停止させて、該第二切断刃による該第二延出部の前記末端側部位の切断操作を停止せしめる第二切断操作停止手段が、更に設けられている請求項１に記載の樹脂成形品の端末処理装置。
【請求項３】
前記保持手段が、前記樹脂成形品における前記第一延出部と前記第二延出部とを除く部位の裏面に接触して、該樹脂成形品を支持する支持面と、該支持面において開口する複数の吸引孔とを備えた保持治具と、該保持治具の複数の吸引孔を通じて吸引を行う吸引機構とを更に有し、該樹脂成形品が該保持治具の支持面に支持された状態下で、該複数の吸引孔を通じての該吸引機構の吸引が行われることにより、該樹脂成形品が該支持面に吸着されて、位置固定に保持されるようになっている請求項１又は請求項２に記載の樹脂成形品の端末処理装置。
【請求項４】
前記第一切断刃が、第一ガイドプレート上に移動可能に配置されると共に、それら第一切断刃と第一ガイドプレートのうちの少なくとも何れか一方に、前記保持手段の前記第一裏当て面と交差する方向に延びる第一ガイド溝が設けられ、更に、それらのうちの少なくとも何れか他方に、該第一ガイド溝内に摺動可能に突入する第一摺動突起が設けられて、該第一ガイド溝に対する該第一摺動突起の摺動により、該第一切断刃が、該第一ガイド溝に案内されつつ、前記第一切断操作進行手段にて、該第一裏当て面に接近せしめられるようになっている請求項１乃至請求項３のうちの何れか１項に記載の樹脂成形品の端末処理装置。
【請求項５】
前記第二切断刃が、第二ガイドプレート上に移動可能に配置されると共に、それら第二切断刃と第二ガイドプレートのうちの少なくとも何れか一方に、前記保持手段の前記第二裏当て面と交差する方向に延びる第二ガイド溝が設けられ、更に、それらのうちの少なくとも何れか他方に、該第二ガイド溝内に摺動可能に突入する第二摺動突起が設けられて、該第二ガイド溝に対する該第二摺動突起の摺動により、該第二切断刃が、該第二ガイド溝に案内されつつ、前記第二切断操作進行手段にて、該第二裏当て面に接近せしめられるようになっている請求項１乃至請求項４のうちの何れか１項に記載の樹脂成形品の端末処理装置。
【請求項６】
表面が意匠面とされたシート状の樹脂成形品の端部に、裏面側に屈曲し、且つ互いに交差する方向に延びるように一体形成されて、角部を形成する第一延出部と第二延出部のそれぞれの末端側部位を切断し、除去することによって、該樹脂成形品の端末部を処理する方法であって、
互いに交差する方向に延び出して角部を形成する第一裏当て面と第二裏当て面とを有する保持手段に対して、前記樹脂成形品を、前記第一延出部の裏面において該第一裏当て面に接触させ、且つ前記第二延出部の裏面において該第二裏当て面に接触させた状態で、位置固定に保持させる工程と、
前記保持手段に保持された前記樹脂成形品における前記第一延出部の意匠面の延出方向中間部に、第一切断刃を押し付けて、食い込ませることにより、該第一切断刃による該第一延出部の末端側部位の切断操作を進行せしめると共に、かかる切断操作の進行中に、該第一延出部に対する該第一切断刃の押付けに伴って、該第一切断刃により、前記第二延出部に対して、その延出方向に押圧力が加えられたときに、該第二延出部を撓み変形させる工程と、
前記第一切断刃による前記第一延出部の末端側部位の切断操作の開始前又は終了後において、前記保持手段に保持された前記樹脂成形品における前記第二延出部の意匠面の延出方向中間部に、第二切断刃を押し付けて、食い込ませることにより、該第二切断刃による該第二延出部の末端側部位の切断操作を進行せしめると共に、かかる切断操作の進行中に、該第二延出部に対する該第二切断刃の押付けに伴って、該第二切断刃により、前記第一延出部に対して、その延出方向に押圧力が加えられたときに、該第一延出部を撓み変形させる工程と、
を含むことを特徴とする樹脂成形品の端末処理方法。
【請求項７】
前記第一延出部の中間部に食い込んだ前記第一切断刃が前記保持手段の前記第一裏当て面に当接する直前において、該第一切断刃と該第一裏当て面との間に位置する該第一延出部の未切断の裏面側部分が、該第一切断刃の押付け力にて圧縮破壊せしめられたときに、該第一延出部の中間部への該第一切断刃の押付けを停止せしめて、該第一切断刃による該第一延出部の末端側部位の切断操作を停止する工程と、該圧縮破壊された第一延出部の未切断の裏面側部分を、該第一切断刃による該第一延出部の末端側部位の切断操作の停止後に、該第一切断刃を用いることなく切り割ることにより、該第一延出部の末端側部位を切断し、除去する工程と、前記第二延出部の中間部に食い込んだ前記第二切断刃が前記保持手段の前記第二裏当て面に当接する直前において、該第二切断刃と該第二裏当て面との間に位置する該第二延出部の未切断の裏面側部分が、該第二切断刃の押付け力にて圧縮破壊せしめられたときに、該第二延出部の中間部への該第二切断刃の押付けを停止せしめて、該第二切断刃による該第二延出部の末端側部位の切断操作を停止する工程と、該圧縮破壊された該第二延出部の未切断の裏面側部分を、該第二切断刃による該第二延出部の末端側部位の切断操作の停止後に、該第二切断刃を用いることなく切り割ることにより、該第二延出部の末端側部位を切断し、除去する工程とを、更に含む請求項６に記載の樹脂成形品の端末処理方法。
【請求項８】
前記請求項６又は請求項７に記載の樹脂成形品の端末処理方法によって、前記第一延出部と前記第二延出部のそれぞれの末端側部位が切断されて、除去されることにより、端末部が処理されていることを特徴とする樹脂成形品。
【発明の詳細な説明】
【技術分野】
【０００１】
本発明は、樹脂成形品の端末処理装置及び端末処理方法並びに樹脂成形品に係り、特に、シート状の樹脂成形品の端部に屈曲して設けられた延出部の末端側部位を切断し、除去することによって、樹脂成形品の端末部を処理する装置の改良と、そのような樹脂成形品の端末部の処理を有利に行う方法と、かかる処理方法によって端末部が処理されてなる樹脂成形品とに関するものである。
【背景技術】
【０００２】
従来から、表面が意匠面とされたシート状の樹脂成形品が、各種の部品や製品として、或いはそれらの表皮材等として、一般に利用されてきており、例えば、自動車等の車両用内装部品にも多く使用されている。
【０００３】
ところで、このシート状の樹脂成形品が、その端部に、意匠面とは反対の裏面側に向かって屈曲して延びるように一体形成されたフランジ部等の延出部を有する場合、かかる延出部の末端側部位を切断し、除去することによって、樹脂成形品の端末部の処理を行うことがある。例えば、シート状の樹脂成形品が、樹脂製のシート材に対して真空成形を行って得られたものである場合には、かかる真空成形時に、所定の保持装置等に保持されるシート材の外周部が、樹脂成形品の全周に一体形成されたフランジ部の末端側部位となるため、そのような末端側部位が、樹脂成形品から切除されることとなる。
【０００４】
このような樹脂成形品の端末部の処理は、一般に、（ア）シェア構造を有する上型と下型とを有し、剪断作用によって切断を行うプレス装置、（イ）ＮＣカッター等の切削加工用の工作機械、（ウ）樹脂成形品を位置固定に保持する保持装置と、この保持装置に保持された樹脂成形品の延出部の延出方向中間部に対して側方から押し付けられて、食い込まされることにより、かかる延出部の末端側部位を切断する切断刃とを備えた端末処理装置等を用いて、実施されている。
【０００５】
ところが、それら従来の樹脂成形品の端末処理に用いられる装置のうち、（ア）の装置を用いた場合には、かかる装置が、剪断作用にて樹脂成形品の切断を行うものであるため、切断面に、樹脂成形品を引きちぎったときに生ずるような、所謂糸バリが発生して、美麗な切断面を得ることが出来なかった。また、（イ）の装置を使用する際には、樹脂成形品の切断面が粗面化して、平滑度の低いものとなってしまうことが避けられなかった。それ故、それら（ア）の装置や（イ）の装置は、切断面も意匠面とされる樹脂成形品の末端処理に際して、到底、採用され得るものではなかったのである。
【０００６】
一方、（ウ）の装置を用いた際には、糸バリ等が生ぜしめられることがなく、しかも、平滑度の高い切断面を得ることが出来る。また、例えば、下記特許文献１及び２に示されるように、樹脂成形品が基材と表皮材との積層構造体である場合にも、基材の切断面に、表皮材が巻き付けられたり、固着されたりすることで、比較的に美麗な切断面が得られるようになる。
【０００７】
しかしながら、本発明者等が、（ウ）の装置、つまり、切断刃によって延出部を押し切る、所謂押切りタイプの従来装置について、様々な角度から検討を加えたところ、表面が意匠面とされたシート状の樹脂成形品の端部に、裏面側に屈曲し、且つ互いに交差する方向に延びるように一体形成されて、角部を形成する第一延出部と第二延出部のそれぞれの末端側部位を切断し、除去するに際して、従来の押し切りタイプの末端処理装置を用いた場合、以下の如き問題が生ずることが、判明した。
【０００８】
すなわち、かかる従来の末端処理装置では、図１１に示されるように、一般に、保持装置１００が、互いに接近乃至離隔可能とされた第一保持型１０２と第二保持型１０４とを有している。そして、それら第一及び第二保持型１０２，１０４が互いに接近せしめられることにより、第一保持型１０２と第二保持型１０４との間に位置するシート状の樹脂成形品１０６が、その裏面１０８と意匠面１１０とを第一及び第二保持型１０２，１０４にそれぞれ接触させた状態で、厚さ方向の両側から第一保持型１０２と第二保持型１０４とにて挟まれて、保持装置１００に保持されるようになっている。
【０００９】
また、図１２に示されるように、樹脂成形品１０６の端部に、前記せる如き第一延出部１１２と第二延出部１１４とが一体形成されている（ここでは、長手矩形形状を呈する樹脂成形品１０の長さ方向の両側に位置する二つの端部に、第一延出部１１２が、それぞれ一つずつ設けられる一方、幅方向の両側に位置する二つの端部に、第二延出部１１４が、それぞれ一つずつ設けられている）場合には、それら第一延出部１１２と第二延出部１１４も、それぞれの裏面１０８と意匠面１１０とを第一及び第二保持型１０２，１０４にそれぞれ接触させた状態で、厚さ方向の両側から第一保持型１０２と第二保持型１０４とにて挟持されて、保持されるようになる。
【００１０】
そして、そのような従来の末端処理装置にあっては、保持装置１００による樹脂成形品１０６の保持状態下で、第一延出部１１２と第二延出部１１４のそれぞれの末端側部位を切断する際に、図１２に示される如く、例えば、先ず、第一延出部１１２に刃先を向けて位置せしめられた第一切断刃１１６（ここでは、二つの第一切断刃１１６，１１６が、二つの第一延出部１１２，１１２のそれぞれに刃先を向けて位置せしめられている）が、第一延出部１１２の延出方向中間部の意匠面１１０に押し付けられて、食い込まされることにより、かかる第一延出部１１２の末端側部位が切断される。その後、第二延出部１１４に刃先を向けて位置せしめられた切断刃１１８（ここでは、二つの第二切断刃１１８，１１８が、二つの第二延出部１１４，１１４のそれぞれに刃先を向けて位置せしめられている）が、第二延出部１１４の延出方向中間部の意匠面１１０に押し付けられて、食い込まされることにより、第二延出部１１４の末端側部位が切断されることとなる。
【００１１】
そして、そのような第一延出部１１２の末端側部位の切断操作の進行中には、図１３に示される如く、第一延出部１１２の裏面１０８が第一保持型１０２に接触せしめられているため、第一延出部１１２が、第一切断刃１１６と第一保持型１０２との間に挟まれるようになり、以て、第一切断刃１１６が第一延出部１１２に確実に食い込んで、第一の延出部１１２の末端側部位がスムーズに切断される。
【００１２】
一方、第二延出部１１４は、第一延出部１１２の末端側部位の切断操作の進行中に、第一切断刃１１６にて、延出方向（ここでは、樹脂成形品１０６の長さ方向）に押圧される。しかしながら、このとき、第二延出部１１４が、その厚さ方向において、第一保持型１０２と第二保持型１０４とにて挟持されているだけであるところから、かかる第二延出部１１４に対して、第一切断刃１１６が十分に食い込まず、そのために、第二延出部１１４が、第一切断刃１１６にて、第一延出部１１２の厚さ分だけ押し込まれる。そして、それによって、第二延出部１１４が、その延出方向において、第一保持型１０２と第二保持型１０４との間で押し縮められるようになり、その結果、第二延出部１１４の第一延出部１１２側端部１２０に、皺やクラックが生ずることがあった。そして、そうなった場合には、第一及び第二延出部１１２，１１４の末端側部位が切断されて、端末処理された樹脂成形品１０６の意匠性が著しく低下するといった深刻な問題が惹起されることとなるのである。
【００１３】
【特許文献１】特開昭６３−１９９６２８号公報
【特許文献２】特開昭６３−９１２２５号公報
【発明の開示】
【発明が解決しようとする課題】
【００１４】
ここにおいて、本発明は、上述せる如き事情を背景にして為されたものであって、その解決課題とするところは、シート状の樹脂成形品の端部に、裏面側に屈曲し、且つ互いに交差する方向に延びるように一体形成されて、角部を形成する第一延出部と第二延出部のそれぞれの末端側部位の切断に際して、第一延出部や第二延出部の基部側部位への皺やクラック等の発生が効果的に防止され、以て、第一延出部と第二延出部の各末端側部位が切断されて、端末処理された樹脂製品が、十分な意匠性を確保しつつ、有利に得られるようにした樹脂成形品の端末処理装置の改良された構造を提供することにある。また、本発明にあっては、意匠性を損なうことなく、樹脂成形品の端末部の処理を有利に行うことが出来る樹脂成形品の端末処理方法を提供すること、更には、そのような端末処理方法によって、端末部が有利に処理されてなる樹脂成形品を提供することをも、その解決課題とするところである。
【課題を解決するための手段】
【００１５】
そして、本発明にあっては、上記した課題又は明細書全体の記載や図面から把握される課題を解決するために、以下に列挙せる如き各種の態様において、有利に実施され得るものであり、また、以下に記載の各態様は、任意の組合せにおいても採用可能である。なお、本発明の態様乃至は技術的特徴は、以下に記載のものに何等限定されることなく、明細書全体の記載並びに図面に開示乃至は示唆される発明思想に基づいて認識され得るものであることが、理解されるべきである。
【００１６】
＜１＞  表面が意匠面とされたシート状の樹脂成形品の端部に、裏面側に屈曲し、且つ互いに交差する方向に延びるように一体形成されて、角部を形成する第一延出部と第二延出部のそれぞれの末端側部位を切断し、除去することによって、該樹脂成形品の端末部を処理する装置であって、（ａ）前記樹脂成形品の前記第一延出部の裏面に接触する第一裏当て面と、前記第二延出部の裏面に接触する第二裏当て面とを有し、それら第一裏当て面と第二裏当て面とに対して、該第一延出部と該第二延出部のそれぞれの裏面を接触させた状態で、該樹脂成形品を位置固定に保持すると共に、かかる樹脂成形品の保持状態下において、該第一延出部と該第二延出部のうちの何れか一方の延出部に対して、該一方の延出部の延出方向に押圧力が加えられたときに、該一方の延出部が撓み変形して、該一方の延出部が接触する該第一裏当て面又は該第二裏当て面から、該一方の延出部の少なくとも一部が離間するのを許容し得るように構成された保持手段と、（ｂ）刃先が前記保持手段の前記第一裏当て面に向けて配された状態で、該第一裏当て面に対して、それと交差する方向において接近又は離隔可能に位置せしめられた第一切断刃と、（ｃ）刃先が前記保持手段の前記第二裏当て面に向けて配された状態で、該第二裏当て面に対して、それと交差する方向において接近又は離隔可能に位置せしめられた第二切断刃と、（ｄ）前記樹脂成形品が前記保持手段に保持された状態下で、前記第一切断刃を、該保持手段の前記第一裏当て面に対して接近させることにより、該第一裏当て面に接触して位置せしめられた前記第一延出部の意匠面の延出方向中間部に、該第一切断刃を押し付けて、食い込ませることによって、該第一切断刃による該第一延出部の前記末端側部位の切断操作を進行せしめる第一切断操作進行手段と、（ｅ）前記樹脂成形品が前記保持手段に保持された状態下で、前記第一切断刃による前記第一延出部の末端側部位の切断操作の開始前又は終了後に、前記第二切断刃を、該保持手段の前記第二裏当て面に対して接近させることにより、該第二裏当て面に接触して位置せしめられた前記第二延出部の意匠面の延出方向中間部に、該第二切断刃を押し付けて、食い込ませることによって、該第二切断刃による該第二延出部の前記末端側部位の切断操作を進行せしめる第二切断操作進行手段とを含むことを特徴とする樹脂成形品の端末処理装置。
【００１７】
＜２＞  前記第一切断操作進行手段による前記第一裏当て面への接近により、前記第一延出部の中間部に押し付けられて、食い込んだ前記第一切断刃が、該第一裏当て面に対する当接直前の位置で、且つ該第一切断刃と該第一裏当て面との間に位置する該第一延出部の未切断の裏面側部分が該第一切断刃の押付け力にて圧縮破壊せしめられる位置にまで到達したときに、該第一切断操作進行手段による該第一切断刃の該第一裏当て面への接近を停止させて、該第一切断刃による該第一延出部の前記末端側部位の切断操作を停止せしめる第一切断操作停止手段が、更に設けられると共に、前記第一切断操作進行手段による前記第二裏当て面への接近により、前記第二延出部の中間部に押し付けられて、食い込んだ前記第二切断刃が、該第二裏当て面に対する当接直前の位置で、且つ該第二切断刃と該第二裏当て面との間に位置する該第二延出部の未切断の裏面側部分が該第二切断刃の押付け力にて圧縮破壊せしめられる位置にまで到達したときに、該第二切断操作進行手段による該第二切断刃の該第二裏当て面への接近を停止させて、該第二切断刃による該第二延出部の前記末端側部位の切断操作を停止せしめる第二切断操作停止手段が、更に設けられている上記態様＜１＞に記載の樹脂成形品の端末処理装置。
【００１８】
＜３＞  前記保持手段が、前記樹脂成形品における前記第一延出部と前記第二延出部とを除く部位の裏面に接触して、該樹脂成形品を支持する支持面と、該支持面において開口する複数の吸引孔とを備えた保持治具と、該保持治具の複数の吸引孔を通じて吸引を行う吸引機構とを更に有し、該樹脂成形品が該保持治具の支持面に支持された状態下で、該複数の吸引孔を通じての該吸引機構の吸引が行われることにより、該樹脂成形品が該支持面に吸着されて、位置固定に保持されるようになっている上記態様＜１＞又は＜２＞に記載の樹脂成形品の端末処理装置。
【００１９】
＜４＞  前記第一切断刃が、第一ガイドプレート上に移動可能に配置されると共に、それら第一切断刃と第一ガイドプレートのうちの少なくとも何れか一方に、前記保持手段の前記第一裏当て面と交差する方向に延びる第一ガイド溝が設けられ、更に、それらのうちの少なくとも何れか他方に、該第一ガイド溝内に摺動可能に突入する第一摺動突起が設けられて、該第一ガイド溝に対する該第一摺動突起の摺動により、該第一切断刃が、該第一ガイド溝に案内されつつ、前記第一切断操作進行手段にて、該第一裏当て面に接近せしめられるようになっている上記態様＜１＞乃至＜３＞のうちの何れか一つに記載の樹脂成形品の端末処理装置。
【００２０】
＜５＞  前記第二切断刃が、第二ガイドプレート上に移動可能に配置されると共に、それら第二切断刃と第二ガイドプレートのうちの少なくとも何れか一方に、前記保持手段の前記第二裏当て面と交差する方向に延びる第二ガイド溝が設けられ、更に、それらのうちの少なくとも何れか他方に、該第二ガイド溝内に摺動可能に突入する第二摺動突起が設けられて、該第二ガイド溝に対する該第二摺動突起の摺動により、該第二切断刃が、該第二ガイド溝に案内されつつ、前記第二切断操作進行手段にて、該第二裏当て面に接近せしめられるようになっている上記態様＜１＞乃至＜４＞のうちの何れか一つに記載の樹脂成形品の端末処理装置。
【００２１】
＜６＞  表面が意匠面とされたシート状の樹脂成形品の端部に、裏面側に屈曲し、且つ互いに交差する方向に延びるように一体形成されて、角部を形成する第一延出部と第二延出部のそれぞれの末端側部位を切断し、除去することによって、該樹脂成形品の端末部を処理する方法であって、（ａ）互いに交差する方向に延び出して角部を形成する第一裏当て面と第二裏当て面とを有する保持手段に対して、前記樹脂成形品を、前記第一延出部の裏面において該第一裏当て面に接触させ、且つ前記第二延出部の裏面において該第二裏当て面に接触させた状態で、位置固定に保持させる工程と、（ｂ）前記保持手段に保持された前記樹脂成形品における前記第一延出部の意匠面の延出方向中間部に、第一切断刃を押し付けて、食い込ませることにより、該第一切断刃による該第一延出部の末端側部位の切断操作を進行せしめると共に、かかる切断操作の進行中に、該第一延出部に対する該第一切断刃の押付けに伴って、該第一切断刃により、前記第二延出部に対して、その延出方向に押圧力が加えられたときに、該第二延出部を撓み変形させる工程と、（ｃ）前記第一切断刃による前記第一延出部の末端側部位の切断操作の開始前又は終了後において、前記保持手段に保持された前記樹脂成形品における前記第二延出部の意匠面の延出方向中間部に、第二切断刃を押し付けて、食い込ませることにより、該第二切断刃による該第二延出部の末端側部位の切断操作を進行せしめると共に、かかる切断操作の進行中に、該第二延出部に対する該第二切断刃の押付けに伴って、該第二切断刃により、前記第一延出部に対して、その延出方向に押圧力が加えられたときに、該第一延出部を撓み変形させる工程とを含むことを特徴とする樹脂成形品の端末処理方法。
【００２２】
＜７＞  前記第一延出部の中間部に食い込んだ前記第一切断刃が前記保持手段の前記第一裏当て面に当接する直前において、該第一切断刃と該第一裏当て面との間に位置する該第一延出部の未切断の裏面側部分が、該第一切断刃の押付け力にて圧縮破壊せしめられたときに、該第一延出部の中間部への該第一切断刃の押付けを停止せしめて、該第一切断刃による該第一延出部の末端側部位の切断操作を停止する工程と、該圧縮破壊された第一延出部の未切断の裏面側部分を、該第一切断刃による該第一延出部の末端側部位の切断操作の停止後に、該第一切断刃を用いることなく切り割ることにより、該第一延出部の末端側部位を切断し、除去する工程と、前記第二延出部の中間部に食い込んだ前記第二切断刃が前記保持手段の前記第二裏当て面に当接する直前において、該第二切断刃と該第二裏当て面との間に位置する該第二延出部の未切断の裏面側部分が、該第二切断刃の押付け力にて圧縮破壊せしめられたときに、該第二延出部の中間部への該第二切断刃の押付けを停止せしめて、該第二切断刃による該第二延出部の末端側部位の切断操作を停止する工程と、該圧縮破壊された該第二延出部の未切断の裏面側部分を、該第二切断刃による該第二延出部の末端側部位の切断操作の停止後に、該第二切断刃を用いることなく切り割ることにより、該第二延出部の末端側部位を切断し、除去する工程とを、更に含む上記態様＜６＞に記載の樹脂成形品の端末処理方法。
【００２３】
＜８＞  上記態様＜６＞又は＜７＞に記載の樹脂成形品の端末処理方法によって、前記第一延出部と前記第二延出部のそれぞれの末端側部位が切断されて、除去されることにより、端末部が処理されていることを特徴とする樹脂成形品。
【発明の効果】
【００２４】
すなわち、本発明に従う樹脂成形品の端末処理装置にあっては、例えば、第一切断刃による第一延出部の末端側部位の切断操作が、第二切断刃による第二延出部の末端側部位の切断操作よりも先に実施される場合、かかる第一延出部の末端側部位の切断操作の進行中に、第二延出部が、その延出方向に、第一切断刃にて押圧されたときに、第二延出部が撓み変形して、保持手段の第二裏当て面から、第二延出部の一部又は全部が離間せしめられるようになる。
【００２５】
それ故、第一延出部の末端側部位の切断操作の進行中に、第二延出部を押圧する第一切断刃が、第二延出部に十分に食い込まず、そのために、第二延出部が、第一切断刃にて、第一延出部の厚さ分だけ押し込まれることがあっても、第二延出部の一部又は全部が、第二裏当て面から離間するようにして、容易に撓み変形せしめられる。そして、それにより、第二延出部が、第一切断刃にて、延出方向に押し縮められるようなことが有利に回避され、以て、第二延出部の第一延出部側端部の基部側部位に、皺やクラックが発生することが、極めて効果的に防止され得ることとなる。
【００２６】
また、第二切断刃による第二延出部の末端側部位の切断操作が、第一切断刃による第一延出部の末端側部位の切断操作よりも先に実施される場合にあっても、上記と同様に、第二延出部の末端側部位の切断操作の進行中に、第一延出部が、第二切断刃の押圧力によって押し縮められ、そのために、第一延出部の第二延出部側端部の基部側部位に、皺やクラックが発生するようなことが、極めて効果的に防止され得る。
【００２７】
従って、かくの如き本発明に従う樹脂成形品の端末処理装置を用いれば、第一延出部や第二延出部の基部側部位に皺やクラック等の発生させることなく、それら第一延出部と第二延出部のそれぞれの末端側部位を確実に切断することが出来る。そして、その結果として、第一延出部と第二延出部の各末端側部位が切断されて、端末処理された樹脂製品が、十分な意匠性を確保しつつ、極めて有利に得られることとなるのである。
【００２８】
そして、本発明に従う樹脂成形品の端末処理方法にあっても、本発明に従う樹脂成形品の端末処理装置を用いることによって得られる優れた作用・効果と実質的に同一の作用・効果が、極めて有効に享受され得るのである。
【００２９】
また、本発明に従う樹脂成形品にあっては、第一延出部や第二延出部の基部側部位に皺やクラック等が発生せしめられることなく、それら第一及び第二延出部のそれぞれの末端側部位が有利に切断され、以て、第一延出部と第二延出部のそれぞれの端末部において、十分な意匠性が、有利に確保され得るのである。
【発明を実施するための最良の形態】
【００３０】
以下、本発明を更に具体的に明らかにするために、本発明の一実施形態について、図面を参照しつつ、詳細に説明する。
【００３１】
先ず、図１及び図２には、本発明に従う構造を有する端末処理装置を用いて、端末処理が施された樹脂成形品としての、自動車用内装部品の一部を構成する意匠パネルが、その斜視形態と縦断面形態とにおいて、それぞれ示されている。それらの図から明らかなように、意匠パネル１０は、所定厚さを有する樹脂製のシート材からなり、全体として、長手矩形の筐体形状を呈している。
【００３２】
すなわち、この意匠パネル１０は、長手矩形の天板部１２を有し、また、かかる天板部１２の四つの辺部のそれぞれに対して、厚さ方向の一方側に所定高さで突出し、且つ各辺部の長さ方向に連続して延びる延出部としてのフランジ部１４ａ，１４ｂ，１４ｃ，１４ｄ（図１には、二つのみを、また図２には、三つのみを示した）が、それぞれ一体的に立設されて、構成されている。換言すれば、意匠パネル１０にあっては、天板部１２と、それの長さ方向（図２の左右方向）と幅方向（図２の紙面に垂直な方向）のそれぞれの端部に、厚さ方向の一方側（図２の下側）に向かって直角に屈曲して延びる四つのフランジ部１４ａ〜ｄとを一体的に有してなっている。
【００３３】
そして、それら四つのフランジ部１４ａ〜ｄのうち、天板部１２の長さ方向の両側に位置する樹脂成形品１０の二つ端部に、互いに対向して設けられた二つのフランジ部１４ａ，１４ｃが、それぞれ、第一延出部としての第一フランジ部１４ａ，１４ｂとされている一方、天板部１２の幅方向の両側に位置する樹脂成形品１０の二つの端部に、互いに対向して設けられた二つのフランジ部１４ｂ，１４ｄ（図１参照）が、それぞれ、第二延出部としての第二フランジ部１４ｂ，１４ｄとされている。
【００３４】
かくして、意匠パネル１０においては、天板部１２の四つの辺部のうち、互いに隣り合う二つの辺部に対して、第一フランジ部１４ａ（１４ｃ）と第二フランジ部１４ｂ（１４ｄ）とが、厚さ方向の一方側に突出し、且つ互いに交差する方向に延びるように一体形成されて、それら第一フランジ部１４ａ（１４ｃ）と第二フランジ部１４ｂ（１４ｄ）との間に、角部１５が、それぞれ形成されている。また、ここでは、各フランジ部１４ａ〜ｄの天板部１２からの屈曲側となる厚さ方向の一方の面が裏面１６とされている一方、かかる裏面１６とは反対側の表面の全面（天板部１２の表面の全面と各フランジ部１４ａ〜ｄの表面の全面）が、意匠面１８とされている。
【００３５】
そして、このような意匠パネル１０は、例えば、天板部１２よりも大きな矩形の１枚の樹脂シートに対する真空成形が行われることにより、天板部１４と二つの第一フランジ部１４ａ，１４ｃと二つの第二フランジ部１４ｂ，１４ｄとを一体的に有する筐体形状において成形され、その後、各フランジ部１４ａ〜ｄのうち、真空成形の実施時において所定の保持装置に保持されていた部分を含む末端側部位を切断し、除去する端末処理が実施されることによって、作製されているのである。
【００３６】
ところで、かくの如き意匠パネル１０の端末処理の実施に際しては、例えば、図３及び図４に示される端末処理装置が用いられる。
【００３７】
すなわち、図３及び図４から明らかなように、端末処理装置は、意匠パネル１０を保持する保持治具２０と、意匠パネル１０の第一フランジ部１４ａ，１４ｃと第二フランジ部１４ｂ，１４ｄのそれぞれの末端側部位を切断するための四つの切断刃２２ａ，２２ｂ，２２ｃ，２２ｄとを有している。
【００３８】
より具体的には、保持治具２０は、長手矩形の厚肉平板乃至はブロック体からなる、ベース２４を有し、かかるベース２４の上面には、保持体２６が固定されている。この保持体２６は、全体として、下方に向かって開口する長手矩形の筐体形状を呈し、長手矩形平板状の上側底壁部２８と、かかる上側底壁部２８の下面の四つの辺部（外周部）からそれぞれ一体的に延び出す、平板状の四つの側壁部３０ａ，３０ｂ，３０ｃ，３０ｄとにて、構成されている。
【００３９】
また、かかる保持体２６にあっては、上側底壁部２８の上面が、意匠パネル１０の天板部１２の裏面１６と略同一の大きさ及び形状を有する支持面３２とされている。そして、この支持面３２に対して、意匠パネル１０が、天板部１２の裏面１６において重ね合わされ、且つ四つのフランジ部１４ａ〜ｄを垂下せしめた状態で載置されることにより、かかる支持面３２（上側底壁部２８）において、意匠パネル１０を支持し得るようになっている（図５参照）。また、そのような上側底壁部２８の外周部には、それを上下方向に貫通する多数の吸引孔３４が、周方向に一定の距離を隔てて、多数形成されている。
【００４０】
一方、保持体２６の四つの側壁部３０ａ〜ｄは、その外面が、意匠パネル１０の支持面３２（上側底壁部２８）への支持状態下で垂下された四つのフランジ部１４ａ〜ｄの裏面１６にそれぞれ接触する裏当て面３６ａ，３６ｂ，３６ｃ，３６ｄとされている。そして、それら四つの裏当て面３６ａ〜ｄのうち、上側底壁部２８の長さ方向に対向位置する二つのものが、支持面３２に支持された意匠パネル１０の二つの第一フランジ部１４ａ，１４ｃがそれぞれ接触する第一裏当て面３６ａ，３６ｃとされている一方、上側底壁部２８の幅方向に対向位置する残りの二つのものが、二つの第二フランジ部１４ｂ，１４ｄがそれぞれ接触する第二裏当て面３６ｂ，３６ｄとされている（図５参照）。
【００４１】
そして、このような保持体２６が、上側底壁部２８から延び出す四つの側壁部３０ａ〜ｄの先端面を、ベース２４の上面に重ね合わせて、それら上側底壁部２８の下面と四つの側壁部３０ａ〜ｄの各内面とベース２４の下面とにて、所定容積の内側空間３８を形成せしめた状態で、ベース２４上の略中央部に固定されている。また、かかる内側空間３８は、保持体２６の上側底壁部２８に設けられた多数の吸引孔３４を通じて、外部に連通せしめられており、更に、ベース２４の上面の中央部と一つの側面とにおいて開口して、ベース２４の内部に設けられた連通路４０を通じても、外部に連通せしめられている。更にまた、この連通路４０には、一端部が、図示しない吸引ポンプ等の吸引装置に接続された吸引パイプ４２が、その他端部において接続されている。これにより、図示しない吸引装置の作動に伴って、保持体２６の多数の吸引孔３４を通じての吸引が行われるようになっている。
【００４２】
かくして、本実施形態の端末処理装置においては、図５に示されるように、意匠パネル１０が、天板部１２の裏面１６を保持体２６の支持面３２に重ね合わせると共に、第一及び第二の四つのフランジ部１４ａ〜ｄの裏面１６を保持体２６の第一及び第二の四つの裏当て面３６ａ〜ｄにそれぞれ接触させて、保持体２６の上側底壁部２８に支持された状態下で、図示しない吸引装置が作動せしめられることにより、かかる意匠パネル１０の天板部１２が、保持体２６の上側底壁部２８に吸着され、以て、意匠パネル１０が、保持体２６（保持治具２０）に対して位置固定に保持されるようになっている。なお、このような意匠パネル１０の保持体２６に対する保持状態下で、第一及び第二フランジ部１４ａ〜ｄは、保持体２６に吸着されることなく、非拘束とされている。このことから明らかなように、ここでは、ベース２４内部に設けられた連通路４０と吸引パイプ４２と図示しない吸引装置とにて、吸引機構が構成され、また、そのような吸引機構と保持治具２０とにて、保持手段が構成されている。また、この保持体２６による意匠パネル１０の保持状態は、図示しない吸引装置の作動を停止することによって、容易に解除され得るようになっている。
【００４３】
一方、図３及び図４から明らかなように、四つの切断刃２２ａ〜ｄは、何れも、狭幅で長手の薄肉平板形状を有し、その幅方向一方側の端部に、刃先（切れ刃）が、略全長に亘って連続して延びるように形成されている。また、各切断刃２２ａ〜ｄにおいては、その刃先の長さが、意匠パネル１０の各フランジ部１４ａ〜ｄの長さ（天板部１２の各辺部の長さに相当する）よりも所定寸法長くされており、長さ方向の両側端部に、四つの切断刃２２ａ〜ｄのうちの一つにて切断される一つのフランジ部（例えばフランジ部１４ａ）に隣り合う二つのフランジ部（例えばフランジ部１４ｂ，１４ｄ）の長さ方向端部を切り込む切込み用突起４４が、それぞれ設けられている。
【００４４】
そして、ここでは、そのような四つの切断刃２２ａ〜ｄが、保持治具２０のベース２４上において、その中央部に固定された保持体２６の周りを取り囲むように配されている。つまり、四つの切断刃２２ａ〜ｄが、保持体２６の側面となる四つの裏当て面３６ａ〜ｄのそれぞれと所定距離を隔てた位置で、刃先を各裏当て面３６ａ〜ｄに向けつつ、それら各裏当て面３６ａ〜ｄと平行に延びるように配置されている。また、かある四つの切断刃２２ａ〜ｄのうち、二つの第一裏当て面３６ａ，３６ｃに対してそれぞれ刃先を向けて位置せしめられた二つのものが、第一切断刃２２ａ，２２ｃとされている一方、二つの第二裏当て面３６ｂ，３６ｄに対してそれぞれ刃先を向けて位置せしめられた残りの二つのものが、第二切断刃２２ｂ，２２ｄとされている。
【００４５】
そして、そのような配置状態下において、二つの第一切断刃２２ａ，２２ｃが、保持体２６の周りに、二つの第一裏当て面３６ａ，３６ｃと所定距離を隔てて、それぞれ対応位置せしめられた、互いに同一の構造を有する、第一移動装置４６ａ，４６ｃにそれぞれ取り付けられて、第一裏当て面３６ａ，３６ｃに対して、接近乃至離隔移動可能とされている。また、二つの第二切断刃２２ｂ，２２ｄも、保持体２６の周りに、二つの第二裏当て面３６ｂ，３６ｄと所定距離を隔てて、それぞれ対応位置せしめられた、互いに、更には第一移動装置４６ａ，４６ｃと同一の構造を有する、第二移動装置４６ｂ，４６ｄにそれぞれ取り付けられて、第二裏当て面３６ｂ，３６ｄに対して、接近乃至離隔移動可能とされている。
【００４６】
すなわち、第一及び第二移動装置４６ａ〜ｄは、何れも、可動ホルダ４８を、それぞれ一つずつ有している。それら各移動装置４６ａ〜ｄの可動ホルダ４８は、何れも、各切断刃２２ａ〜ｄよりも長尺な長手矩形のブロック形態を呈し、保持体２６の四つの裏当て面３６ａ〜ｄのそれぞれに対して、水平方向に所定距離を隔てて対向し、且つ平行に延びるように位置せしめられている。また、かかる可動ホルダ４８の裏当て面３６ａ〜ｄとの対向面には、狭幅の凹溝５０が全長に亘って連続して延びるように形成されている。そして、各切断刃２２ａ〜ｄが、刃先側とは反対側の幅方向一端部において凹溝５０内に挿入位置せしめられた状態で、可動ホルダ４８に対して、ベース２４の上面より同一の高さ一において、ボルト固定されている。かくして、各切断刃２２ａ〜ｄが、刃先を可動ホルダ４８の各裏当て面３６ａ〜ｄに向けて位置させた状態で、可動ホルダ４８により、ベース２４の上面からの同一の高さ一において固定的に保持されている。
【００４７】
また、各移動装置４６ａ〜ｄは、可動ホルダ４８の下方に位置せしめられたガイドプレート５２を更に有している。このガイドプレート５２は、可動ホルダ４８の長さと略同程度の長さと、可動ホルダ４８の幅よりも十分に大きな幅とを有する矩形平板からなっている。そして、各ガイドプレート５２は、可動ホルダ４８の下方において、幅方向一方側の側面を、保持体２６の裏当て面３６ａ〜ｄに対して水平方向に所定距離を隔てて対向し且つ平行に延びるように位置せしめた状態で、ベース２４に固定されている。
【００４８】
また、そのようなガイドプレート５２の上面の中央部には、ガイド溝５４が、ガイドプレート５２の幅方向、つまり保持体２６の各裏当て面３６ａ〜ｄと直交する方向に向かって真っ直ぐに延びるように形成されている。そして、このガイドプレート５２の上面に対して、可動ホルダ４８が、その下面の中央部に一体形成された摺動突起５６をガイド溝５４内に摺動可能に突入させた状態で、重ね合わされて配置されている。これにより、可動ホルダ４８が、ガイド溝５４に案内されつつ、ガイドプレート５２の幅方向に移動可能とされ、また、それに伴って、可動ホルダ４８に固定的に保持された切断刃２２ａ〜ｄが、保持体２６の裏当て面３６ａ〜ｄに対して接近乃至離隔移動せしめられるようになっている。
【００４９】
なお、ここでは、第一移動装置４６ａ，４６ｃのガイドプレート５２，５２や可動ホルダ４８，４８にそれぞれ設けられるガイド溝５４，５４と摺動突起５６，５６が、各々、第一ガイド溝５４，５４及び第一摺動突起５６，５６とされている。また、第二移動装置４６ｂ，４６ｄのガイドプレート５２，５２や可動ホルダ４８，４８にそれぞれ設けられるガイド溝５４，５４と摺動突起５６，５６が、各々、第二ガイド溝５４，５４及び第二摺動突起５６，５６とされている。
【００５０】
さらに、各移動装置４６ａ〜ｄは、油圧シリンダ５８を、それぞれ一つずつ更に有している。この油圧シリンダ５８は、可動ホルダ４８やガイドプレート５２を間に挟んだ保持体２６側とは反対側において、ベース２４上に固定されている。また、油圧シリンダ５８は、保持体２６の裏当て面３６ａ〜ｄに向かって真っ直ぐに突出乃至引込作動せしめられるピストンロッド６０を有し、このピストンロッド６０が、その先端部において、可動ホルダ４８の切断刃２２ａ〜ｄの取付側とは反対側の面に連結されている。
【００５１】
かくして、二つの第一移動装置４６ａ，４６ｃと二つの第二移動装置４６ｂ，４６ｄの各油圧シリンダ５８のピストンロッド６０が突出作動せしめられるのに伴って、それら各移動装置４６ａ〜ｄのそれぞれの可動ホルダ４８に保持された第一切断刃２２ａ，２２ｃと第二切断刃２２ｂ，２２ｄとが、保持体２６の第一裏当て面３６ａ，３６ｃと第二裏当て面３６ｂ，３６ｄとに対して、それぞれ接近移動せしめられるようになっている。そして、意匠パネル１０が、上記のようにして、保持治具２０の保持体２６に吸着されて、位置固定に保持された状態下で、かくの如き油圧シリンダ５８による第一及び第二切断刃２２ａ〜ｄの第一及び第二裏当て面３６ａ〜ｄへの接近移動が行われることによって、それら第一及び第二裏当て面３６ａ〜ｄにそれぞれ接触位置する意匠パネル１０の第一及び第二フランジ部１４ａ〜ｄの幅方向（天板部１２からの延出方向）の中間部に、第一及び第二切断刃２２ａ〜ｄが押し付けられて、食い込み、以て、各フランジ部１４ａ〜ｄの各切断刃２２ａ〜ｄによる末端側部位の切断操作が進行せしめられるようになっているのである。このことから明らかなように、ここでは、第一移動装置４６ａ，４６ｃにて、第一切断操作進行手段が構成される一方、第二移動装置４６ａ，４６ｄにて、第二切断操作進行手段が構成されている。
【００５２】
また、本実施形態の端末処理装置は、ベース２４上に設置されたコントローラ６２を更に有し、このコントローラ６２にて、第一及び第二移動装置４６ａ〜ｄの各油圧シリンダ５８の作動が制御されるようになっている。
【００５３】
すなわち、ここでは、コントローラ６２の作動制御の下で、第二移動装置４６ｂ，４６ｄの各油圧シリンダ５８が引込状態とされているときに、図４に二点鎖線で示されるように、第一移動装置４６ａ，４６ｃの各油圧シリンダ５８が同時に突出作動せしめられ、また、かかる突出作動状態から同時に引込作動せしめられるようになっている。そして、図示されてはいないものの、それら第一移動装置４６ａ，４６ｃの各油圧シリンダ５８が同時に引込作動せしめられた状態において、第二移動装置４６ｂ，４６ｄのそれぞれの油圧シリンダ５８が同時に突出作動せしめられ、その後、かかる突出作動状態から同時に引込作動せしめられるようになっている。
【００５４】
これによって、第一切断刃２２ａ，２２ｃによる第一フランジ部１４ａ，１４ｃの末端側部位の切断操作が同時に行われ、また、その後に、或いはその前に、第二切断刃２２ｂ，２２ｄによる第二フランジ部１４ｂ，１４ｄの末端部位の切断操作が同時に行われるようになっている。
【００５５】
そして、本実施形態においては、コントローラ６２による作動制御下で、上記のようにして、第一及び第二移動装置４６ａ〜ｄの各油圧シリンダ５８が突出作動せしめられた際に、第一及び第二切断刃２２ａ〜ｄの先端の刃先が保持体２６の第一及び第二裏当て面３６ａ〜ｄに当接する直前の位置で、各油圧シリンダ５８の突出作動が停止せしめられて、第一及び第二切断刃２２ａ〜ｄが、第一及第二裏当て面３６ａ〜ｄに対して当接せしめられないようになっている。即ち、第一及び第二切断刃２２ａ〜ｄの第一及び第二裏当て面３６ａ〜ｄへの当接直前で、第一及び第二切断刃２２ａ〜ｄによる第一及び第二フランジ部１４ａ〜ｄの末端側部位の切断操作が停止されるように構成されている。そして、この第一及び第二切断刃２２ａ〜ｄによる第一及び第二フランジ部１４ａ〜ｄの末端側部位の切断操作における各油圧シリンダ５８の突出作動の停止位置が、第一及び第二切断刃２２ａ〜ｄと第一及び第二裏当て面３６ａ〜ｄとの間に位置する第一及び第二フランジ部１４ａ〜ｄの未切断の裏面１６側部分を、第一及び第二切断刃２２ａ〜ｄの押付け力にて圧縮破壊させたときの位置とされているのである。このことから明らかなように、本実施形態では、第一切断操作停止手段と第二切断操作停止手段とが、コントローラ６２にて構成されている。
【００５６】
そして、かくの如き構造とされた端末処理装置を用いて、意匠パネル１０の第一及び第二の四つのフランジ部１４ａ〜ｄのそれぞれの端末部の処理を行う際には、例えば、以下のようにして、その作業が進められることとなる。
【００５７】
すなわち、先ず、図４に実線で示されるように、第一及び第二移動装置４６ａ〜ｄの各油圧シリンダ５８が、全て、引込作動させた状態とされる。
【００５８】
次いで、図５に示される如く、真空成形等によって別途に成形された意匠パネル１０の天板部１２が、その裏面１６において、保持体２６の支持面３２に重ね合わされ、且つ四つのフランジ部１４ａ〜ｄが、それぞれの裏面１６において、四つの裏当て面３６ａ〜ｄに接触させられた状態で、意匠パネル１０が保持体２６にて支持された後、吸引装置（図示せず）が作動せしめられて、多数の吸引孔３４を通じての吸引が行われることにより、保持体２６に支持された意匠パネル１０が、保持体２６の上側保持体３０に吸着されて、保持治具２０にて位置固定に保持せしめられる。
【００５９】
その後、図６に示されるように、先ず、保持体２６を間に挟んで、その長さ方向の両側にそれぞれ位置せしめられた第一移動装置４６ａ，４６ｂの油圧シリンダ５８がそれぞれ同時に突出作動せしめられ、それにより、それら各油圧シリンダ５８のピストンロッド６０に連結された可動ホルダ４８に保持される第一切断刃２２ａ，２２ｃが、保持体２６の第一裏当て面３６ａ，３６ｃに接触位置する意匠パネル１０の第一フランジ部１４ａ，１４ｃに接近移動せしめられる。そうして、二つの第一切断刃２２ａ，２２ｃが、二つの第一フランジ部１４の意匠面１８の幅方向中間部に同時に押し付けられて、食い込み、以て、それら第一フランジ部１４ａ，１４ｃの末端側部位を意匠面１８側から裏面１６側に向かって切断する操作が、同時に進行せしめられる。
【００６０】
なお、上記のようにして、第一フランジ部１４ａ，１４ｃの末端側部位を第一切断刃２２ａ，２２ｃにて切断する場合、或いは後述する如く、第二フランジ部１４ｂ，１４ｄの末端側部位を第二切断刃２２ｂ，２２ｄにて切断する場合には、第一及び第二フランジ部１４ａ〜ｄの意匠面１８に対する第一及び第二切断刃２２ａ〜ｄの押付けによって、第一及び第二フランジ部１４ａ〜ｄが、押潰し変形状態から延性破壊状態に移行することで、第一及び第二切断刃２２ａ〜ｄが第一及び第二フランジ部１４ａ〜ｄに、より深く食い込んでいき、やがて、第一及び第二切断刃２２ａ〜ｄと第一及び第二裏当て面３６ａ〜ｄの間に位置する第一及び第二フランジ部１４ａ〜ｄの未切断の裏面１６側部分が十分に薄肉となったときに、そのような未切断の薄肉の裏面１６側部分が、切断刃２２ａ〜ｄの押付け力により、延性破壊状態から圧縮破壊状態に更に移行すると考えられる。そして、そのような圧縮破壊が惹起されたときには、最早、第一及び第二切断刃２２ａ〜ｄを用いるまでもなく、手作業等により、第一及び第二フランジ部１４ａ〜ｄの末端側部位を容易に切断することが可能となる。
【００６１】
それ故、本工程では、図７に示されるように、第一移動装置４６ａ，４６ｃの油圧シリンダ５８のそれぞれの突出作動量に応じて、第一切断刃２２ａ，２２ｃ（図６では、第一切断刃２２ａのみを示す）を、第一フランジ部１４ａ，１４ｃ（図６では、第一フランジ部１４ａのみを示す）に、より深く食い込ませて、第一フランジ部１４ａ，１４ｃの末端側部位の切断操作を徐々に進行していく過程において、第一切断刃２２ａ，２２ｃが第一裏当て面３６ａ，３６ｃに当接する直前で、且つ第一切断刃２２ａ，２２ｃと第一裏当て面３６ａ，３６ｃの間に位置する第一フランジ部１４ａ，１４ｃの未切断の裏面１６側部分が延性破壊状態から、第一切断刃２２ａ，２２ｃの押付け力による圧縮破壊に移行したときに、コントローラ６２にて、第一移動装置４６ａ，４６ｃの各油圧シリンダ５８の突出作動が停止せしめられる。
【００６２】
なお、本発明者等の研究によれば、上記の如き第一及び第二切断刃２２ａ〜ｄによる第一及び第二フランジ部１４ａ〜ｄの末端側部位の切断操作において、例えば、各フランジ部１４ａ〜ｄの裏面１６に、各切断刃２２ａ〜ｄの長さ方向に沿って延びる線状の白化部分等が生じた時点が、各フランジ部１４ａ〜ｄの未切断の裏面１６側部分が延性破壊状態から圧縮破壊状態に移行した時点と判断することが出来、また、そのような延性破壊状態から圧縮破壊状態に移行したときの各フランジ部１４ａ〜ｄの未切断の裏面１６側部分の厚さが、各フランジ部１４ａ〜ｄを形成する樹脂の材質、例えば、粘性等によって、大凡決定されるものであることが判明している。
【００６３】
従って、ここでは、第一フランジ部１４ａ，ｃの未切断の裏面１６側部分が延性破壊状態から圧縮破壊に移行したときに、コントローラ６２にて、第一移動装置４６ａ，４６ｃの各油圧シリンダ５８の突出作動を停止させるタイミングが、第一切断刃２２ａ，２２ｃの先端の刃先から第一裏当て面３６ａ，３６ｃまでの距離（図７にＬにて示される寸法）が予め定された寸法となったときに設定される。
【００６４】
なお、そのような油圧シリンダ５８の突出作動を停止させるときの第一切断刃２２ａ，２２ｃから第一裏当て面３６ａ，３６ｃまでの距離：Ｌは、様々な材質の樹脂材料からなる樹脂成形品（意匠パネル１０）を用いて、予め実施された各種の試験や実験の結果から、具体的に決定される。因みに、樹脂成形品が、例えば、ＰＣ、ＰＭＭＡ、硬質ＰＶＣ、ＰＰ、ＰＥ、ＡＢＳ等の硬質で、且つ比較的に粘性の低い樹脂材料を用いて形成されている場合には、切断刃２２ａ〜ｄから裏当て面３６ａ〜ｄまでの距離：Ｌが０．００５〜０．０１ｍｍ程度となったときに、油圧シリンダ５８の突出作動が停止せしめられて、第一切断刃２２ａ，ｃによる第一フランジ部１４ａ，ｃの切断操作が停止せしめられることとなる。
【００６５】
かくして、本工程においては、第一切断刃２２ａ，２２ｃが第一裏当て面３６ａ，３６ｃに当接する直前で、且つ第一切断刃２２ａ，２２ｃと第一裏当て面３６ａ，３６ｃの間に位置する第一フランジ部１４ａ，１４ｃの未切断の裏面１６側部分の厚さ寸法が、意匠パネル１０の材質等に応じて、予め実施された実験等により決定された値となったときに、第一移動装置４６ａ，４６ｃの各油圧シリンダ５８の突出作動が停止される。そして、かかる切断操作の停止後、直ちに、それら第一移動装置４６ａ，４６ｃの各油圧シリンダ５８が、同時に引込作動せしめられることとなる。これによって、第一切断刃２２ａ，２２ｃによる第一フランジ部１４ａ，１４ｃの末端側部位の切断操作が、第一フランジ部１４ａ，１４ｃの裏面１６側部分を未切断のまま残した切断途中の状態で、同時に停止されるのである。
【００６６】
ここにおいて、前述せるように、第一及び第二切断刃２２ａ〜ｄのそれぞれのものにおける長さ方向の両側端部には、切込み用突起４４がそれぞれ設けられている。そして、第一フランジ部１４ａ，１４ｃの末端側部位が切断される際に、第二フランジ部１４ｂ，１４ｄの末端側部位のうち、第一フランジ部１４ａ，１４ｃの末端側部位と角部１５を形成する部分、つまり第二フランジ部１４ｂ，１４ｄの末端側部位の長さ方向端部が、第一切断刃２２ａ，２２ｃの各切込み用突起４４にて切り込まれるようになっており、また、第二フランジ部１４ｂ，１４ｄの末端側部位が切断される際には、第一フランジ部１４ａ，１４ｃの末端側部位のうち、第二フランジ部１４ｂ，１４ｄの末端側部位と角部１５を形成する部分、つまり第一フランジ部１４ａ，１４ｃの末端側部位の長さ方向端部が、第二切断刃２２ｂ，２２ｄの各切込み用突起４４にて切り込まれるようになっている。しかしながら、実際には、各フランジ部１４ａ〜ｄの末端側部位の切断操作の進行時に、各切断刃２２ａ〜ｄの切込み用突起４４にて、各フランジ部１４ａ〜ｄの末端側部位の長さ方向端部を十分に切り込むことが困難であった。
【００６７】
例えば、第一フランジ部１４ａの末端側部位を第一切断刃２２ａにて切断する際には、図７に示されるように、第一切断刃２２ａが、第一フランジ部１４ａの裏面１６に接触位置する第一裏当て面３６ａに向かって接近移動せしめられるため、第一切断刃２２ａが、第一裏当て面３６ａによる裏当てによって、第一フランジ部１４ａに確実に食い込んで、第一フランジ部１４ａの末端側部位がスムーズに切断される。一方、このとき、図８に示されるように、第一フランジ部１４ａの長さ方向両側にそれぞれ位置する角部１５を形成する第二フランジ部１４ｂ，１４ｄ（図８には、一つの角部１５と第二フランジ部１４ｂのみを示す）には、それぞれの長さ方向において、第一切断刃２２ａの各切込み用突起４４が押し付けられるが、そのような各切込み用突起４４の各第二フランジ部１４ｂ，１４ｄへの押付けは、裏当てが存在しない状態で実施される。このため、第一フランジ部１４ａの末端側部位の第一切断刃２２ａによる切断操作の進行中に、第二フランジ部１４ｂ，１４ｄに対して、第一切断刃２２ａの各切込み用突起４４が容易には食い込まず、それ故に、第二フランジ部１４ｂ，１４ｄが、第一切断刃２２ａの各切込み用突起４４にて、第一フランジ部１４ａの厚さ分だけ長さ方向に押し込まれて、切込みが不十分になってしまうのである。
【００６８】
ところが、本実施形態の端末処理装置では、前記せる如く、意匠パネル１０の保持体２６への保持状態下で、第一及び第二フランジ部１４ａ〜ｄが、何れも、非拘束状態とされている。そのため、図８に示されるように、第一切断刃２２ａが、第一フランジ部１４ａに押し付けられて、食い込まされると共に、第二フランジ部１４ｂ，１４ｄが、第一切断刃２２ａの各切込み用突起４４にて、第一フランジ部１４ａの厚さ分だけ、長さ方向に押し込まれたときに、第二フランジ部１４ｂ，１４ｄが、第二裏当て面３６ｂ，３６ｄから部分的に離間するように撓み変形せしめられるようになる。
【００６９】
かくして、第一切断刃２２ａ，２２ｃによる第一フランジ部１４ａ，１４ｃの末端側部位の切断操作を行う本工程では、かかる切断操作がスムーズに進行せしめられる一方で、第二フランジ部１４ｂ，１４ｄが、それらに押し付けられる第一切断刃２２ａ，２２ｃの各切込み用突起４４にて、それぞれの長さ方向に押し縮められるようなことが有利に回避され得るようになる。
【００７０】
その後、保持体２６を間に挟んで、その幅方向の両側に位置する第二移動装置４６ｂ，４６ｄのそれぞれの油圧シリンダ５８が、第一移動装置４６ａ，４６ｃの各油圧シリンダ５８の、上記した突出及び引込作動と同様な作動状態において、同時に突出及び引込作動せしめられる。これにより、保持体２６の幅方向両側に位置する第二裏当て面３６ｂ，３６ｄに接触せしめられた第二フランジ部１４ｂ，１４ｄの末端側部位に対して、第二切断刃２２ｂ，２２ｄによる切断操作が、同時に進行せしめられ、また、第二フランジ部１４ｂ，１４ｄの裏面１６側部分を未切断のまま残した切断途中の状態で、同時に停止されるのである。
【００７１】
次いで、図示しない吸引装置の作動が停止せしめられて、保持体２６の上側底壁部２８に対する意匠パネル１０の天板部１２の吸着が解消されることにより、意匠パネル１０の保持治具２０への保持状態が解除される。そして、その後、意匠パネル１０が、保持体２６（保持治具２０）から取り外され（離脱せしめられ）た後、意匠パネル１０の第一及び第二フランジ部１４ａ〜ｄのそれぞれにおける、圧縮破壊状態で未切断のまま残された裏面１６側部分が、第一及び第二切断刃２２ａ〜ｄやその他の工具等を何等用いることなく、各々、手作業で容易に切割りされる。それによって、第一及び第二フランジ部１４ａ〜ｄの末端側部位が、完全に切断されて、除去されるのである。しかも、手作業等で切割りされる第一及び第二フランジ部１４ａ〜ｄの裏面１６側部分は、第一及び第二切断刃２２ａ〜ｄを用いた切断操作によって既に圧縮破壊せしめられているため、手作業等での切割り後において、切断面に糸バリが発生したり、切断面が粗面化して、平滑度が低くなったりするようなこともないのである。
【００７２】
このように、本実施形態においては、第一切断刃２２ａ，２２ｃによる第一フランジ部１４ａ，１４ｃの末端側部位の切断操作の進行中に、第二フランジ部１４ｂ，１４ｄの長さ方向の端部が、第一切断刃２２ａ，２２ｃの各切込み用突起４４にて押し込まれたときに、第二フランジ部１４ｂ，１４ｄが、第二裏当て面３６ｂ，３６ｄから部分的に離間するように撓み変形せしめられることで、長さ方向に押し縮められることが回避され得るようになっている。そのため、第一切断刃２２ａ，２２ｃによる第一フランジ部１４ａ，１４ｃの末端側部位の切断操作によって、第二フランジ部１４ｂ，１４ｄに、皺やクラック等が発生するようなことが、効果的に防止され得る。また、そのような第一切断刃２２ａ，２２ｃによる第一フランジ部１４ａ，１４ｃの末端側部位の切断操作の後に行われる第二切断刃２２ｂ，２２ｄによる第二フランジ部１４ｂ，１４ｄの末端側部位の切断操作の進行中には、第一フランジ部１４ａ，１４ｃが、既に実質的に切断されているため、かかる第一フランジ部１４ａ，１４ｃに皺やクラック等が生ずることもない。
【００７３】
従って、かくの如き本実施形態によれば、第一フランジ部１４ａ，１４ｃと第二フランジ部１４ｂ，１４ｄのそれぞれの末端側部位を、それら各フランジ部１４ａ〜ｄに対して皺やクラック等を発生させることなく、確実に切断して、処理することが出来る。そして、その結果として、第一及び第二フランジ部１４ａ〜ｄの各末端側部位が切断されて、端末処理された意匠パネル１０が、十分な意匠性を確保しつつ、極めて有利に得られることとなるのである。
【００７４】
また、本実施形態では、第一及び第二切断刃２２ａ〜ｄによる第一及び第二フランジ部１４ａ〜ｄの末端側部位の切断操作が、第一及び第二フランジ部１４ａ〜ｄに食い込んだ第一及び第二切断刃２２ａ〜ｄの第一及び第二裏当て面３６ａ〜ｄへの当接直前において、第一及び第二フランジ部１４ａ〜ｄの裏面１６側部分を未切断のまま残した切断途中の状態で終了せしめられる。それ故、第一及び第二フランジ部１４ａ〜ｄの末端側部位の切断操作を何度も繰り返して実施しても、第一及び第二切断刃２２ａ〜ｄの刃先が、第一及び第二裏当て面３６ａ〜ｄにへの当接によって潰れ変形して、劣化してしまうようなことが、未然に防止され得る。しかも、未切断のまま残された第一及び第二フランジ部１４ａ〜ｄの裏面１６側部分は、第一及び第二切断刃２２ａ〜ｄを何等用いない手作業等での切割り操作によって、切断面に糸バリが発生したり、切断面が粗面化して、平滑度が低くなったりするようなこともなく、極めて容易に切断されて、除去される。
【００７５】
それ故、かくの如き本実施形態によれば、意匠パネル１０の第一及び第二フランジ部１４ａ〜ｄの末端側部位を、美麗な切断面を有するように、しかも、より長期に亘って安定的に且つスムーズに切断することが出来るのである。また、第一及び第二切断刃２２ａ〜ｄの当接による第一及び第二裏当て面３６ａ〜ｄの損傷や劣化も有利に防止され得、以て、保持治具２０の耐久性の向上も、効果的に図られ得る。
【００７６】
さらに、本実施形態では、二つの第一フランジ部１４ａ，１４ｃの末端側部位の切断操作が同時に行われた後、残りの二つの第二フランジ部１４ｂ，１４ｄの末端側部位の切断操作が同時に行われるようになっているところから、例えば、それら第一及び第二フランジ部１４ａ〜ｄの末端側部位の切断操作を一つずつ順番に行う場合に比して、第一及び第二フランジ部１４ａ〜ｄの末端側部位の切断操作に掛かる時間の短縮化が有利に図られて、かかる切断操作の効率化が、効果的に実現され得る。
【００７７】
更にまた、本実施形態においては、意匠パネル１０を保持治具２０の保持体２６に支持せしめた状態下で、単に、吸引装置の作動とその停止を行うだけで、意匠パネル１０の保持体２６に対する固定的な保持とかかる保持状態の解除とが、容易に実施され得る。これによっても、第一及び第二フランジ部１４ａ〜ｄの末端側部位の切断操作の効率化が図られ、更にはそのような切断操作の作業性の向上が、有利に高められ得る。
【００７８】
また、本実施形態では、第一及び第二移動装置４６ａ〜ｄの各可動ホルダ４８に設けられた摺動突起５６が、ベース２４上に固定された各ガイドプレート５２のガイド溝５４に突入して、摺動せしめられることにより、各可動ホルダ４８が、保持体２６の第一及び第二裏当て面３６ａ〜ｄに接近移動せしめられるようになっている。そして、かかる第一及び第二裏当て面３６ａ〜ｄへの各可動ホルダ４８の接近移動に伴って、それら各可動ホルダ４８に保持された第一及び第二切断刃２２ａ〜ｄが、保持体２６に保持された意匠パネル１０の第一及び第二フランジ部１４ａ〜ｄに押し付けられて、食い込まされるように構成されている。
【００７９】
それ故、このような本実施形態においては、予め、第一及び第二切断刃２２ａ〜ｄを、刃先が第一及び第二裏当て面３６ａ〜ｄに向けられた状態で、各裏当て面３６ａ〜ｄと平行に延びるように配置しておけば、第一及び第二フランジ部１４ａ〜ｄの切断操作時における第一及び第二切断刃２２ａ〜ｄの第一及び第二フランジ部１４ａ〜ｄへの食込み深さが、各フランジ部１４ａ〜ｄの長さ方向において、常時、一定の深さと為され得る。これによって、第一及び第二切断刃２２ａ〜ｄによる第一及び第二フランジ部１４ａ〜ｄの切断操作が、それぞれ停止せしめられたときに、未切断のまま残された各フランジ部１４ａ〜ｄの裏面１６側部分の厚さが、常に一定の厚さとされ得る。そして、その結果として、それら未切断の各フランジ部１４ａ〜ｄの裏面１６側部分が、第一及び第二切断刃２２ａ〜ｄやその他の工具等を何等用いることなく、各々、手作業で、より確実に且つ容易に切割りされ、以て、第一及び第二フランジ部１４ａ〜ｄの末端側部位が、更に確実に完全に切断されて、除去され得ることとなるのである。
【００８０】
以上、本発明の具体的な構成について詳述してきたが、これはあくまでも例示に過ぎないものであって、本発明は、上記の記載によって、何等の制約をも受けるものではない。
【００８１】
例えば、前記実施形態では、二つの第一フランジ部１４ａ，１４ｃの末端側部位の切断操作が同時に進行されて、停止せしめられた後、二つの第二フランジ部１４ｂ，１４ｄの末端側部位の切断操作が同時に進行されて、停止せしめられるようになっていたが、各移動装置４６ａ〜ｄの油圧シリンダ５８に対するコントローラ６２による作動制御を適宜に変更すること等によって、第二フランジ部１４ｂ，１４ｄの末端側部位の切断操作を、第二フランジ部１４ｂ，１４ｄの末端側部位の切断操作よりも先に行ったり、或いは第一及び第二フランジ部１４ａ〜ｄの四つのもののうちの一つ一つに対して、末端側部位の切断操作を順番に行ったりしても良い。
【００８２】
さらに、保持手段による樹脂成形品の保持構造も、例示された吸引機構による樹脂成形品の吸着構造に、何等限定されるものではなく、例えば、第一及び第二裏当て面を有し、且つ第一延出部と第二延出部のうちの一方の延出部に対して、それの延出方向に押圧力が加えられたときに、かかる一方の延出部が撓み変形して、第一裏当て面や第二裏当て面から少なくとも一部が離間するのを許容し得る構造とされておれば良い。それ故、例えば、保持手段を複数の保持体を含んで構成して、それら複数の保持体にて、樹脂成形品の第一及び第二延出部以外の部位を挟持して、位置固定に保持する構造や、保持手段に、樹脂成形品の第一及び第二延出部以外の部位に係合する係合部を設けて、かかる係合部による係合により、樹脂成形品を位置固定に保持する構造等が、適宜に採用され得る。
【００８３】
更にまた、切断刃の形状や配設位置等も、切断されるべき樹脂成形品の第一及び第二延出部の数や形成位置等に応じて、適宜に変更され得る。
【００８４】
例えば、図９に示されるように、樹脂成形品たる意匠パネル７０が、長手矩形の天板部７２と、この天板部７２の意匠面７４とは反対側の面の外周部に、鈎形状をもって周方向にそれぞれ延出するように一体形成されて、二つの角部７５ａ，７５ｂをそれぞれ形成する第一フランジ部７６ａと第二フランジ部７６ｂとを有して構成される場合には、それら鉤状の第一及び第二フランジ部７６ａ，７６ｂの形状に対応した鉤形状を呈する刃先を備えた第一切断刃７８ａと第二切断刃７８ｂとを、それぞれの刃先が、第一及び第二フランジ部７６ａ，７６ｂに向けた状態で、それら第一及び第二フランジ部７６ａ，７６ｂに対して、図９に矢印：アにて示される方向において、接近乃至離隔可能に配置される。
【００８５】
また、図１０に示されるように、樹脂成形品としての意匠パネル８０が、三角形状の天板部８２と、この天板部８２の意匠面７４とは反対側の面の外周部に、三つの辺部に沿ってそれぞれ延びるように一体形成されて、三つの角部８５ａ，８５ｂ，８５ｃをそれぞれ形成する平板状の三つのフランジ部８６ａ，８６ｂ，８６ｃを有して構成される場合には、狭幅の平板状を呈する三つ切断刃８８ａ，８８ｂ，８８ｃが、それぞれの刃先を、各フランジ部８６ａ〜ｃに向け、且つそれらと平行に延びるように位置せしめた状態で、各フランジ部８６ａ〜ｃに対して、図１０に矢印：イにて示される方向において、接近乃至離隔可能に配置される。
【００８６】
さらに、第一及び第二切断操作進行手段の構造も、例示された、第一及び第二切断刃２２ａ〜ｄを保持治具２０の保持体２６に接近移動させる第一及び第二移動装置４６ａ〜ｄに何等限定されるものではなく、例えば、保持体２６を第一及び第二切断刃２２ａ〜ｄに接近移動させる構造において、第一及び第二切断操作進行手段を構成することも出来、或いは保持体２６と第一及び第二切断刃２２ａ〜ｄの両方を互いに接近移動させる構造において、第一及び第二切断操作進行手段を構成することも出来る。なお、それらの構造を採用する場合には、保持体２６の第一及び第二切断刃２２〜ｄへの接近移動を停止させる機構乃至は装置にて、或いは保持体２６と第一及び第二切断刃２２〜ｄの互いの接近移動を停止させる機構乃至は装置にて、第一及び第二切断操作停止手段が構成されることとなる。また、様々な構造において切断操作進行手段を構成する場合にあっても、その数や配設位置等が、切断刃の数や配設位置等に応じて、適宜に変更される得ることは、言うまでもないところである。
【００８７】
更にまた、第一及び第二切断操作停止手段も、例示のコントローラ５６に代えて、単に、第一及び第二移動装置４６ａ〜ｄによる第一及び第二切断刃２２ａ〜ｄの移動を阻止するストッパ手段等を採用することが出来る。また、上記せるように、第一及び第二切断操作進行手段として、保持体２６を第一及び第二各切断刃２２ａ〜ｄに接近移動させる構造や、それら保持体２６と第一及び第二切断刃２２ａ〜ｄの両方を互いに接近移動させる構造のものを採用する場合にも、保持体２６や第一及び第二切断刃２２ａ〜ｄの移動を停止させるコントローラやストッパ手段等が、適宜に採用されることとなる。更に、第一切断操作停止手段と第二切断操作停止手段とを、互いに別個の独立した構造をもって構成することも、可能である。
【００８８】
加えて、前記実施形態では、本発明を、自動車用内装部品の一部を構成する意匠パネルに一体形成された第一及び第二フランジ部の端末部を処理するための端末処理装置と端末処理方法とそのような端末処理が行われた意匠パネルに適用したものの具体例を示したが、本発明は、その他のシート状の樹脂成形品の端部に一体形成された第一延出部と第二延出部のそれぞれの端末部を処理する端末処理装置と端末処理方法とそのような端末処理が行われた樹脂成形品の何れに対しても有利に適用されるものであることは、勿論である。
【００８９】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００９０】
【図１】本発明に従う構造を有する端末処理装置を用いて端末部が処理された樹脂成形品の一例を示す斜視説明図である。
【図２】図１におけるII−II断面説明図である。
【図３】本発明に従う構造を有する端末処理装置の一実施形態を示す縦断面説明図であって、図４のIII−III断面に相当する図である。
【図４】図３におけるIV矢視説明図である。
【図５】図３に示された端末処理装置を用いて、樹脂成形品の端末部を処理する際に実施される工程例を示す説明図であって、樹脂成形品を保持手段にて保持せしめた状態を示している。
【図６】図５に示された工程に引き続いて実施される工程例を示す説明図であって、保持手段に保持された樹脂成形品の末端側部位を切断刃にて切断している状態を示している。
【図７】図６におけるVII部拡大説明図である。
【図８】図６のVIII−VIII断面における部分拡大説明図である。
【図９】本発明に従う端末処理装置の別の実施形態における切断刃の配置位置を示す説明図である。
【図１０】本発明に従う端末処理装置の更に別の実施形態における切断刃の配置位置を示す説明図である。
【図１１】従来構造を有する端末処理装置の縦断面説明図であって、図１２のXI−XI断面に相当する図である。
【図１２】図１１におけるXII−XII断面説明図である。
【図１３】図１２におけるXIII部拡大説明図である。
【符号の説明】
【００９１】
１０，７０，８０  意匠パネル          １２，７２，８２  天板部
１４ａ〜ｄ，７６ａ〜ｄ，８６ａ〜ｄ  フランジ部
１８  意匠面                          ２０  保持治具
２２ａ〜ｄ，７８ａ〜ｄ，８８ａ〜ｄ  切断刃
２６  保持体                          ３２  支持面
３４  吸引孔                          ３６ａ〜ｄ  裏当て面
４６ａ〜ｄ  移動装置                  ５２  ガイドプレート
５４  ガイド溝                        ５６  摺動突起
５８  油圧シリンダ                    ６２  コントローラ
【図１】
2009286029.tif 000003
【図２】
2009286029.tif 000004
【図３】
2009286029.tif 000005
【図４】
2009286029.tif 000006
【図５】
2009286029.tif 000007
【図６】
2009286029.tif 000008
【図７】
2009286029.tif 000009
【図８】
2009286029.tif 000010
【図９】
2009286029.tif 000011
【図１０】
2009286029.tif 000012
【図１１】
2009286029.tif 000013
【図１２】
2009286029.tif 000014
【図１３】
2009286029.tif 000015